(57)【要約】【課題】框部材の重量増大や製造コストの増大を招来することなく障子の歪みを防止すること。【解決手段】障子２０を構成する上下框部材２１，２２の間に格子部材４０を設けた建具において、互いに個別に形成した主格子要素４１０と補強格子要素４２０とを見込み方向に重ね合わせて格子部材４０を構成し、かつ上下框部材２１，２２の見付け面から当接ヒレ部１２３を突出して設け、主格子要素４１０の端面を当接ヒレ部１２３の見込み面に当接させ、かつ補強格子要素４２０の端面を上下框部材２１，２２の内周側に設けた補強当接面１２０ｂに当接させた状態で上下框部材２１，２２の間に格子部材４０を配設した。【選択図】図３
2014145240.tif 000002
【特許請求の範囲】
【請求項１】
框部材を四周に框組みして障子を構成し、対向する２つの框部材の間に格子部材を設けた建具において、
前記対向する２つの框部材には、見込み方向に沿い、かつ前記格子部材の長手方向に対して互いに位置が異なる複数の当接面を設け、個々の当接面に前記格子部材の端面を対向させた状態で前記格子部材を前記対向する２つの框部材の間に配設したことを特徴とする建具。
【請求項２】
前記互いに位置が異なる複数の当接面は、少なくとも前記対向する２つの框部材の外周側に位置する見付け面から室内外方向に向けて突出した主当接面と、前記対向する２つの框部材の内周側に位置する見付け面から互いに対向するように突出した補強当接面とを備えることを特徴とする請求項１に記載の建具。
【請求項３】
前記格子部材は、全長に渡って一様な断面形状を有し、前記当接面を設けた框部材の見込み方向に沿う第１リブと、前記当接面を設けた框部材の長手方向に沿う第２リブと、これら第１リブ及び第２リブの外表面を覆うように設けた外郭材とが両端面に現れるように構成したことを特徴とする請求項１に記載の建具。
【請求項４】
前記格子部材は、主格子要素と補強格子要素とを備えて構成し、前記主格子要素の端面が前記框部材の前記主当接面と対向し、前記補強格子要素の端面が前記框部材の前記補強当接面に対向することを特徴とする請求項２に記載の建具。
【請求項５】
前記格子部材は、互いに個別に形成した主格子要素と補強格子要素とを見込み方向に重ね合わせて構成したことを特徴とする請求項１に記載の建具。
【請求項６】
前記主格子要素及び前記補強格子要素には、見込み方向に沿った相対移動を規制する係止部を設けたことを特徴とする請求項４または請求項５に記載の建具。
【発明の詳細な説明】
【技術分野】
【０００１】
本発明は、障子を構成する框部材の間に格子部材を架け渡すように設けた建具に関するものである。
【背景技術】
【０００２】
建具の障子としては、上框部材、下框部材及び左右一つの縦框部材を四周框組みして構成した長方形状の框にガラス等の面材を保持させるようにしたものが一般的である。しかしながら、単に４本の框部材を組み合わせた障子では、剛性を十分に確保することが困難であり、種々の問題を招来する場合もある。例えば、引き戸においては、縦框部材を介して障子が左右方向にスライドされることになるため、上框部材の位置が下框部材に対して長手方向や短手方向にずれるように障子が歪む場合がある。通常、引き戸では、召し合わせの位置に配置される縦框部材に錠装置が設けられているが、障子が歪んだ場合、召し合わせの位置に配置される２つの縦框部材の位置がずれることになり、錠装置を施錠することが困難になる等の問題を来す恐れがある。
【０００３】
このため、この種の建具には、框部材の間に複数の格子部材を架け渡すことによって障子の剛性を向上させるようにしたものも提供されている。具体的には、障子の見込み方向に沿った寸法が増えるようにそれぞれの框部材に当接面を設け、格子部材の両端面が当接面に当接する状態で框部材の間に格子部材を取り付けるようにしたものである。この建具によれば、縦框部材を介して障子を左右方向にスライドさせた場合にも、両端面が框部材の当接面に当接した格子部材が障子の歪みに抗するように機能することになり、召し合わせの位置に配置される縦框部材の錠装置が施錠できない等の問題を防止することができるようになる（例えば、特許文献１参照）。
【先行技術文献】
【特許文献】
【０００４】
【特許文献１】実公昭５４−３５９３９号公報
【発明の概要】
【発明が解決しようとする課題】
【０００５】
ところで、上記のように構成した建具において障子の歪みを確実に防止するには、板厚を増大したり、閉断面構造としたりする等、高い剛性をもって当接面を構成する必要がある。すなわち、框部材に設けた当接面が撓んだ場合には、格子部材が有効に機能しないため、上框部材と下框部材との相対的な位置ずれが可能となり、障子の歪みを防止することが困難となる。
【０００６】
しかしながら、当接面となる部分の板厚を増大したり、当接面となる部分を閉断面構造として構成した場合には、それぞれの框部材の重量が増大するばかりでなく、アルミニウム等の材料も多く必要となるため、製造コストを増やす要因となる。
【０００７】
本発明は、上記実情に鑑みて、框部材の重量増大や製造コストの増大を招来することなく障子の歪みを防止することのできる建具を提供することを目的とする。
【課題を解決するための手段】
【０００８】
上記目的を達成するため、本発明に係る建具は、框部材を四周に框組みして障子を構成し、対向する２つの框部材の間に格子部材を設けた建具において、前記対向する２つの框部材には、見込み方向に沿い、かつ前記格子部材の長手方向に対して互いに位置が異なる複数の当接面を設け、個々の当接面に前記格子部材の端面を対向させた状態で前記格子部材を前記対向する２つの框部材の間に配設したことを特徴とする。
【０００９】
この発明によれば、框部材に複数の当接面を設け、障子が歪むような外力が加えられた場合にそれぞれの当接面に格子部材の端面を当接させるようにしているため、格子部材の端面が当接することによって当接面に生じる応力が、単一の当接面を設けて格子部材を当接させた場合に比べて分散される。
【００１０】
また、本発明は、上述した建具において、前記互いに位置が異なる複数の当接面は、少なくとも前記対向する２つの框部材の外周側に位置する見付け面から室内外方向に向けて突出した主当接面と、前記対向する２つの框部材の内周側に位置する見付け面から互いに対向するように突出した補強当接面とを備えることを特徴とする。
【００１１】
この発明によれば、主当接面の見込み寸法を増やすことなく、框部材と格子部材の端面との当接面積を増やすことができる。
【００１２】
また、本発明は、上述した建具において、前記格子部材は、全長に渡って一様な断面形状を有し、前記当接面を設けた框部材の見込み方向に沿う第１リブと、前記当接面を設けた框部材の長手方向に沿う第２リブと、これら第１リブ及び第２リブの外表面を覆うように設けた外郭材とが両端面に現れるように構成したことを特徴とする。
【００１３】
この発明によれば、格子部材の軽量化を図り、かつ第１リブによって框部材の長手方向に沿った相対的な位置ずれを抑制することができるとともに、第２リブによって框部材の短手方向に沿った相対的な位置ずれを抑制することができる。
【００１４】
また、本発明は、上述した建具において、前記格子部材は、主格子要素と補強格子要素とを備えて構成し、前記主格子要素の端面が前記框部材の前記主当接面と対向し、前記補強格子要素の端面が前記框部材の前記補強当接面に対向することを特徴とする。
【００１５】
この発明によれば、格子部材の見付け寸法を増大することなく当接面との当接面積を増やすことができる。
【００１６】
また、本発明は、上述した建具において、前記格子部材は、互いに個別に形成した主格子要素と補強格子要素とを見込み方向に重ね合わせて構成したことを特徴とする。
【００１７】
この発明によれば、当接面に生じる応力が、主格子要素の端面を介するものと、補強格子要素の端面を介するものとに分散される。
【００１８】
また、本発明は、上述した建具において、前記主格子要素及び前記補強格子要素には、見込み方向に沿った相対移動を規制する係止部を設けたことを特徴とする。
【００１９】
この発明によれば、一方の格子要素を框部材に固定することで他方の格子要素を框部材の間に支持することができる。
【発明の効果】
【００２０】
本発明によれば、框部材に複数の当接面を設け、障子が歪むような外力が加えられた場合にそれぞれの当接面に格子部材の端面を当接させるようにしているため、格子部材の端面が当接することによって当接面に生じる応力が、単一の当接面を設けて格子部材を当接させた場合に比べて分散される。従って、個々の当接面については板厚を増大したり、閉断面構造として構成せずとも撓む恐れがなくなり、框部材の重量増大や製造コストの増大を招来することなく障子の歪みを防止することが可能となる。
【図面の簡単な説明】
【００２１】
【図１】図１は、本発明の実施の形態１である建具を室外側から見た図である。
【図２】図２は、図１に示した建具の横断面図である。
【図３】図３は、図１に示した建具の縦断面図である。
【図４】図４は、図１に示した建具の要部を拡大して示す縦断面図である。
【図５】図５は、図４におけるＡ−Ａ線断面図である。
【図６】図６は、図４におけるＢ−Ｂ線断面図である。
【図７】図７は、図１に示した建具において加えられた外力の方向と外力に抗するように機能する部分とを模式的に示した要部断面図である。
【図８】図８は、本発明の実施の形態２である建具の横断面図である。
【図９】図９は、図８に示す建具において実施の形態１の図５に対応する断面図である。
【図１０】図１０は、図８に示す建具において実施の形態１の図６に対応する断面図である。
【図１１】図１１は、図８に示した建具において加えられた外力の方向と外力に抗するように機能する部分とを模式的に示した要部断面図である。
【発明を実施するための形態】
【００２２】
以下、添付図面を参照しながら本発明に係る建具の好適な実施の形態について詳細に説明する。
【００２３】
（実施の形態１）
図１〜図４は、本発明の実施の形態１である建具を示したものである。ここで例示する建具は、玄関用の引き戸として用いられるもので、開口枠１０及び２枚の障子２０，２０を備えている。
【００２４】
開口枠１０は、上枠１１、下枠１２及び左右一対の縦枠１３，１４を四周枠組みすることによって構成した矩形状を成すものである。上枠１１及び下枠１２の互いに対向する見込み面には、それぞれ互いに平行となる２本のレール部材１１ａ，１１ａ，１２ａ，１２ａが設けてある。
【００２５】
２枚の障子２０，２０は、互いにほぼ対称の構成を有したものであるため、以下には一方についてのみ説明する。障子２０は、上框部材２１、下框部材２２及び左右一対の縦框部材２３，２４を四周框組みすることによって構成した矩形状を成す框にガラス等の面材２５を保持させることによって構成したもので、互いに戸尻側となる縦框部材２４を召し合わせた場合に開口枠１０を閉塞できる大きさに形成してある。面材２５としては、スペーサ２５ａを介して２枚のガラス板２５ｂ，２５ｃを貼り合わせた複層ガラスを適用している。障子２０の下框部材２２には、内部に戸車２６が配設してあり、障子２０の上框部材２１には、長手方向に沿ってガイド溝２１ａが設けてある。この障子２０は、戸車２６を下枠１２のレール部材１２ａに転動可能に係合させ、かつ上框部材２１のガイド溝２１ａにそれぞれ上枠１１のレール部材１１ａを位置させることにより、開口枠１０に対して左右にスライドさせることが可能である。戸尻側となる縦框部材２４の間には、召し合わせた場合に鍵によって施錠することのできる錠装置２７が設けてある。戸先側となる縦框部材２３には、取手２８が設けてある。
【００２６】
障子２０を構成するそれぞれの框部材２１，２２，２３，２４には、当接支持ヒレ部１２０及び押縁係合溝１２１が設けてあり、上框部材２１及び下框部材２２には、当接ヒレ部１２３が設けてある。
【００２７】
当接支持ヒレ部１２０は、框部材２１，２２，２３，２４の内周側に位置する見込み面の室外側に位置する縁部から内周側に向けて突出した薄板状部分である。個々の当接支持ヒレ部１２０には、それぞれの突出端縁部に当接部１２０ａが設けてある。当接部１２０ａは、当接支持ヒレ部１２０の突出端縁部を室内側に向けてほぼ直角に屈曲することによって構成したもので、それぞれの突出端に框部材２１，２２，２３，２４の見込み方向に沿って平坦となる補強当接面（当接面）１２０ｂを有している。当接部１２０ａの室内側に位置する端縁部には、面材２５との間に介在する外方タイト材３０が装着してある。それぞれの当接支持ヒレ部１２０は、四周框組みした框の内部に面材２５を配置した場合に、それぞれの突出端縁部が外方タイト材３０を介して面材２５の周縁部表面に同時に当接することのできる突出寸法に形成してある。
【００２８】
押縁係合溝１２１は、框部材２１，２２，２３，２４の内周側に位置する見込み面から内周側に向けて一対の係合ヒレ部１２１ａ，１２１ｂを突設することにより、これら一対の係合ヒレ部１２１ａ，１２１ｂの間に構成したものである。一対の係合ヒレ部１２１ａ，１２１ｂは、框部材２１，２２，２３，２４において室内側に位置する縁部から互いに平行となるように突出したもので、見込み面からの突出量が互いにほぼ等しく、四周框組みした框の内部に面材２５を挿入することのできる突出寸法に形成してある。室外側に位置する係合ヒレ部１２１ｂの突出端縁部には、室内側に向けて係合爪部１２１ｃが設けてある。係合爪部１２１ｃは、押縁係合溝１２１に押縁１２４が挿入された場合に押縁１２４の挿入端縁部に係合し、面材２５との間に内方タイト材３１を介在させた状態で押縁１２４を框部材２１，２２，２３，２４に支持させるものである。
【００２９】
当接ヒレ部１２３は、上下框部材２１，２２の外周側に位置する見込み面において室外側に位置する縁部から外周側に向けて突出した後、室外側に向けて略直角に屈曲することによって構成した部分である。当接ヒレ部１２３には、上下框部材２１，２２の見付け面から突出した部分に見込み方向に沿って平坦となる主当接面（当接面）１２３ａが構成してある。主当接面１２３ａは、見込み方向に沿った寸法ｄ１が、当接支持ヒレ部１２０に設けた補強当接面１２０ｂの見込み方向に沿った寸法ｄ２よりも大きくなるように設けてある。図２からも明らかなように、当接ヒレ部１２３を設けていない一対の縦框部材２３，２４は、見込み寸法が当接ヒレ部１２３を設けた上框部材２１及び下框部材２２と同じとなるように、室外側に位置する見付け面が当接ヒレ部１２３の突出端面と同一の平面上に位置するように構成してある。
【００３０】
尚、開口枠１０の各枠１１，１２，１３，１４及び障子２０の各框部材２１，２２，２３，２４は、それぞれアルミニウムやアルミニウム合金の押し出し型材によって構成してある。
【００３１】
一方、この建具の障子２０には、図１〜図４に示すように、それぞれ上框部材２１と下框部材２２との間において面材２５よりも室外側となる部位に複数の格子部材４０が設けてある。それぞれの格子部材４０は、互いに平行、かつ上框部材２１及び下框部材２２に対してほぼ直角となるように架け渡して配設したもので、主格子要素４１０及び補強格子要素４２０を備えて構成してある。
【００３２】
主格子要素４１０は、図３及び図４に示すように、上框部材２１の主当接面１２３ａと下框部材２２の主当接面１２３ａとの間に介在する長さを有し、かつ見込み方向に沿った寸法ｄ１が主当接面１２３ａと同じとなるように構成した長尺状の部材である。補強格子要素４２０は、上框部材２１の補強当接面１２０ｂと下框部材２２の補強当接面１２０ｂとの間に介在する長さを有し、かつ見込み方向に沿った寸法ｄ３が補強当接面１２０ｂの見込み方向に沿った寸法ｄ２よりもわずかに大きくなるように構成した長尺状の部材である。主格子要素４１０及び補強格子要素４２０は、それぞれアルミニウムやアルミニウム合金の押し出し型材によって一様な断面形状を有するように構成したものである。図５及び図６に示すように、主格子要素４１０は、主外郭材（外郭材）４１１、一対の第１支持ヒレ部（第１リブ）４１２，４１２及び一対の第２支持ヒレ部（第１リブ）４１３，４１３を有し、補強格子要素４２０は、補外郭材（外郭材）４２１及び一対の補支持ヒレ部（第１リブ）４２２，４２２を有している。
【００３３】
主格子要素４１０の主外郭材４１１は、平板状を成す主基板部４１１ａと、主基板部４１１ａの両側縁部から同一方向に突出した一対の主側板部４１１ｂ，４１１ｂとを有したものである。主基板部４１１ａと主側板部４１１ｂ，４１１ｂとの連結部分には、それぞれ傾斜する面取板部４１１ｃ，４１１ｃが設けてある。主側板部４１１ｂ，４１１ｂの突出端縁部４１１ｄ，４１１ｄは、互いに対向する方向に向けてほぼ直角に屈曲し、主基板部４１１ａに対してほぼ平行となっている。一対の第１支持ヒレ部４１２，４１２は、主基板部４１１ａの両側部から主側板部４１１ｂ，４１１ｂと平行となるように突出した後、個々の突出端縁部（第２リブ、係止部）４１２ａ，４１２ａが両側に向けて突出した略Ｔ字状を成すものである。一対の第２支持ヒレ部４１３，４１３は、主基板部４１１ａにおいて一対の第１支持ヒレ部４１２，４１２の間となる部位から主側板部４１１ｂ，４１１ｂと平行となるように突出した後、個々の突出端縁部（第２リブ、係止部）４１３ａ，４１３ａが互いに近接する方向に屈曲した略Ｌ字状を成すものである。主側板部４１１ｂ，４１１ｂの屈曲した突出端縁部４１１ｄ，４１１ｄ、第１支持ヒレ部４１２，４１２の両側に突出した突出端縁部４１２ａ，４１２ａ、第２支持ヒレ部４１３，４１３の屈曲した突出端縁部４１３ａ，４１３ａは、主基板部４１１ａからの距離が互いに同一で、かつ上下框部材２１，２２に設けた主当接面１２３ａの見込み方向に沿った寸法ｄ１に一致する位置に設けてある。
【００３４】
補強格子要素４２０の補外郭材４２１は、平板状を成す補基板部４２１ａと、補基板部４２１ａの両側縁部から同一方向に突出した一対の補側板部４２１ｂ，４２１ｂとを有したものである。一対の補側板部４２１ｂ，４２１ｂは、互いに外側となる面の相互間距離ｗ１が、一対の第１支持ヒレ部４１２，４１２の互いに内側に突出した端縁部４１２ａ，４１２ａの相互間距離ｗ２よりもわずかに短くなるように形成してある。それぞれの補側板部４２１ｂ，４２１ｂの突出端縁部（係止部）４２１ｃ，４２１ｃは、互いに離反する方向に向けてほぼ直角に屈曲し、補基板部４２１ａに対してほぼ平行となっている。一対の補支持ヒレ部４２２，４２２は、補基板部４２１ａから補側板部４２１ｂ，４２１ｂと同一方向に向け、かつ補側板部４２１ｂ，４２１ｂとほぼ平行となるように突出したものである。一対の補支持ヒレ部４２２，４２２の互いに外側となる面の相互間距離ｗ３は、一対の第２支持ヒレ部４１３，４１３の互いに内側に突出した端縁部４１３ａ，４１３ａの相互間距離ｗ４よりもわずかに短くなるように形成してある。それぞれの補支持ヒレ部４２２，４２２には、連結ヒレ部４２２ａ及び一対の係合片部（係止部）４２２ｂ，４２２ｂが設けてある。連結ヒレ部４２２ａは、補支持ヒレ部４２２，４２２の突出端部間を連結するもので、補基板部４２１ａに対してほぼ平行となっている。係合片部４２２ｂ，４２２ｂは、一対の補支持ヒレ部４２２，４２２の互いに外側となる面からほぼ直角に突出したものである。
【００３５】
上記の構成を有する補強格子要素４２０は、主格子要素４１０に設けた一対の第１支持ヒレ部４１２，４１２の間に一対の補側板部４２１ｂ，４２１ｂを配置するとともに、一対の第２支持ヒレ部４１３，４１３の間に一対の補支持ヒレ部４２２，４２２を配置するように位置合わせして、主格子要素４１０の一方の端面から挿入することにより、主格子要素４１０に重ね合わせた状態に組み付けられて主格子要素４１０とともに格子部材４０を構成する。主格子要素４１０において主側板部４１１ｂ，４１１ｂと第１支持ヒレ部４１２，４１２との間に位置する部分には、面材２５に対向する部位にそれぞれ中空のシール部材４３０が装着される。
【００３６】
こうして組み付けた格子部材４０は、補強格子要素４２０の補支持ヒレ部４２２，４２２に設けた係合片部４２２ｂ，４２２ｂが、主格子要素４１０の主基板部４１１ａとの間において第２支持ヒレ部４１３，４１３の屈曲する突出端縁部４１３ａ，４１３ａに当接するとともに、補強格子要素４２０の補側板部４２１ｂ，４２１ｂにおいて屈曲する突出端縁部４２１ｃ，４２１ｃが、主格子要素４１０の主基板部４１１ａとの間において第１支持ヒレ部４１２，４１２の屈曲する突出端縁部４１２ａ，４１２ａに当接することになり、主基板部４１１ａと補基板部４２１ａとが互いに離反する方向の移動が規制された状態にある。さらに、補強格子要素４２０に設けた補支持ヒレ部４２２，４２２の先端縁部が主格子要素４１０の主基板部４１１ａに当接することになり、主基板部４１１ａと補基板部４２１ａとが互いに近接する方向の移動も規制された状態にある。すなわち、格子部材４０を構成する主格子要素４１０及び補強格子要素４２０は、互いに長手方向に沿った移動のみが許容された状態で互いに連結されたものとなる。
【００３７】
この格子部材４０は、上框部材２１、下框部材２２及び左右一対の縦框部材２３，２４を四周框組みした状態の框に対して面材２５を取り付ける以前に上框部材２１と下框部材２２との間に架け渡して配設される。すなわち、図３〜図５に示すように、上下框部材２１，２２の室外側に位置する見付け面にそれぞれ主格子要素４１０の端部を主外郭材４１１が室外側となる向きで当接させ、この状態から上下框部材２１，２２の当接支持ヒレ部１２０を介して第２支持ヒレ部４１３，４１３の屈曲する突出端縁部４１３ａ，４１３ａに取付ネジＢ，Ｂを螺合させることにより、格子部材４０を上下框部材２１，２２に取り付ける。すべての格子部材４０を取り付けた後においては、框に面材２５を配置し、さらに押縁係合溝１２１に押縁１２４を取り付ければ障子２０が組み上がることになる。尚、図４中の符号は、セッティングブロックＳである。
【００３８】
上記のように構成した障子２０では、格子部材４０の主格子要素４１０が両端面を介して上下框部材２１，２２の主当接面１２３ａに当接するとともに、補強格子要素４２０が両端面を介して補強当接面１２０ｂに当接するため、戸先側の縦框部材２３を介して左右にスライドさせた場合にも、これら主格子要素４１０及び補強格子要素４２０が障子２０の歪みに抗するように機能する。より具体的に説明すれば、図７において中心線よりも左側に示すように、主格子要素４１０の端面において上下框部材２１，２２の主当接面１２３ａに当接する部分（クロスハッチング部分）と、補強格子要素４２０の端面において上下框部材２１，２２の補強当接面１２０ｂに当接する部分（クロスハッチング部分）とが、上框部材２１及び下框部材２２の長手方向に沿った相対移動に抗するように機能する。また、図７において中心線よりも右側に示すように、主格子要素４１０の端面において上下框部材２１，２２の見込み方向に沿い、かつ主当接面１２３ａに当接する部分（クロスハッチング部分）と、補強格子要素４２０の端面において上下框部材２１，２２の見込み方向に沿い、かつ補強当接面１２０ｂに当接する部分（クロスハッチング部分）とが、上框部材２１及び下框部材２２の短手方向に沿った相対移動に抗するように機能することになる。従って、障子２０の框が矩形状を維持することになり、召し合わせの位置に配置される縦框部材２４の錠装置２７が施錠できない等の問題を防止することができる。
【００３９】
しかも、上下框部材２１，２２に設けた主当接面１２３ａ及び補強当接面１２０ｂは、格子部材４０の長手方向に対して互いに位置が異なる別個のものであり、格子部材４０の端面が当接することによって生じる応力がこれらに分散されることになる。従って、主当接面１２３ａ及び補強当接面１２０ｂについては、特別に板厚を増大したり、閉断面構造として構成せずとも撓む恐れがなくなり、上下框部材２１，２２の重量増大や製造コストの増大を招来することもない。
【００４０】
（実施の形態２）
図８は、本発明の実施の形態２である建具を示したものである。ここで例示する建具は、実施の形態１と同様、開口枠１０と２枚の障子２０とを備え、玄関用の引き戸として用いられるもので、実施の形態１とは格子部材５０を構成する主格子要素５１０及び補強格子要素５２０のみが異なっている。以下においては、主に実施の形態１と異なる点について詳述し、実施の形態１と同様の構成に関しては、同一の符号を付してそれぞれの詳細説明を省略する。
【００４１】
実施の形態２の格子部材５０は、互いに平行、かつ障子２０の上框部材２１及び下框部材２２に対してほぼ直角となるように架け渡して配設したもので、主格子要素５１０及び補強格子要素５２０を備えて構成してある。
【００４２】
主格子要素５１０は、上框部材２１の主当接面１２３ａと下框部材２２の主当接面１２３ａとの間に介在する長さを有し、かつ見込み方向に沿った寸法ｄ１が主当接面１２３ａと同じとなるように構成した長尺状の部材である。補強格子要素５２０は、上框部材２１の補強当接面１２０ｂと下框部材２２の補強当接面１２０ｂとの間に介在する長さを有し、かつ見込み方向に沿った寸法ｄ３が補強当接面１２０ｂの見込み方向に沿った寸法ｄ２よりもわずかに大きくなるように構成した長尺状の部材である。主格子要素５１０及び補強格子要素５２０は、それぞれアルミニウムやアルミニウム合金の押し出し型材によって一様な断面形状を有するように構成したものである。主格子要素５１０は、主外郭材（外郭材）５１１、一対の第１主支持ヒレ部（第１リブ）５１２，５１２及び一対の第２主支持ヒレ部（第１リブ）５１３，５１３を有し、補強格子要素５２０は、補外郭材（外郭材）５２１、一対の第１補支持ヒレ部（第１リブ）５２２，５２２及び一対の第２補支持ヒレ部（第１リブ）５２３，５２３を有している。
【００４３】
主格子要素５１０の主外郭材５１１は、平板状を成す主基板部５１１ａと、主基板部５１１ａの両側縁部から同一方向に突出した一対の主側板部５１１ｂ，５１１ｂとを有したものである。主基板部５１１ａと主側板部５１１ｂ，５１１ｂとの連結部分には、互いの間に傾斜する面取板部５１１ｃ，５１１ｃが設けてある。主側板部５１１ｂ，５１１ｂの突出端縁部（係止部）５１１ｄ，５１１ｄは、互いに対向する方向に向けてほぼ直角に屈曲し、主基板部５１１ａに対してほぼ平行となっている。一対の第１主支持ヒレ部５１２，５１２は、主基板部５１１ａの両側部から主側板部５１１ｂ，５１１ｂと平行となるように突出したものである。一対の第２主支持ヒレ部５１３，５１３は、主基板部５１１ａにおいて一対の第１主支持ヒレ部５１２，５１２の間となる部位から主側板部５１１ｂ，５１１ｂと平行となるように突出した後、個々の突出端縁部（第２リブ）５１３ａ，５１３ａが互いに近接する方向に屈曲した略Ｌ字状を成すものである。主側板部５１１ｂ，５１１ｂの屈曲した突出端縁部５１１ｄ，５１１ｄ、第２主支持ヒレ部５１３，５１３の屈曲した突出端縁部５１３ａ，５１３ａは、主基板部５１１ａからの距離が互いに同一で、かつ上下框部材２１，２２に設けた主当接面１２３ａの見込み方向に沿った寸法ｄ１に一致する位置に設けてある。
【００４４】
補強格子要素５２０の補外郭材５２１は、平板状を成す補基板部５２１ａと、補基板部５２１ａの両側縁部から同一方向に突出した一対の補側板部５２１ｂ，５２１ｂとを有したものである。一対の補側板部５２１ｂ，５２１ｂは、互いに外側となる面の相互間距離ｗ５が、一対の主側板部５１１ｂ，５１１ｂの互いに内側に突出した突出端縁部５１１ｄ，５１１ｄの相互間距離ｗ６よりもわずかに短くなるように形成してある。それぞれの補側板部５２１ｂ，５２１ｂの突出端縁部（係止部）５２１ｃ，５２１ｃは、互いに離反する方向に向けてほぼ直角に屈曲し、補基板部５２１ａに対してほぼ平行となっている。一対の第１補支持ヒレ部５２２，５２２は、補基板部５２１ａの両側部から補側板部５２１ｂ，５２１ｂと同一方向に向け、かつ補側板部５２１ｂ，５２１ｂとほぼ平行となるように突出したものである。一対の第１補支持ヒレ部５２２，５２２は、一対の第１主支持ヒレ部５１２，５１２に対して相互間距離ｗ７が同じとなるように形成してある。一対の第２補支持ヒレ部５２３，５２３は、補基板部５２１ａにおいて一対の第１補支持ヒレ部５２２，５２２の間となる部位から補側板部５２１ｂ，５２１ｂと平行となるように突出し、個々の突出端縁部が連結ヒレ部（第２リブ）５２３ａによって互いに連結してある。一対の第２補支持ヒレ部５２３，５２３は、一対の第２主支持ヒレ部５１３，５１３に対して相互間距離ｗ８が同じとなるように形成してある。第１補支持ヒレ部５２２，５２２の突出端面、第２補支持ヒレ部５２３，５２３の突出端面、連結ヒレ部５２３ａは、補基板部５２１ａからの距離が互いに同一で、かつ見込み方向に沿った寸法ｄ２が補強当接面１２０ｂの見込み方向に沿った寸法ｄ２に一致する位置に設けてある。一対の補側板部５２１ｂ，５２１ｂの見込み方向に沿った寸法ｄ３は、補強当接面１２０ｂの見込み方向に沿った寸法ｄ２よりも大きく設定してある。
【００４５】
上記の構成を有する補強格子要素５２０は、主格子要素５１０に設けた一対の主側板部５１１ｂ，５１１ｂの間に一対の補側板部５２１ｂ，５２１ｂを配置するように位置合わせして、主格子要素５１０の一方の端面から挿入することにより、主格子要素５１０に重ね合わせた状態に組み付けられて主格子要素５１０とともに格子部材５０を構成する。
【００４６】
こうして組み付けた格子部材５０は、補強格子要素５２０の補側板部５２１ｂ，５２１ｂにおいて屈曲する突出端縁部５２１ｃ，５２１ｃが、主格子要素５１０の主基板部５１１ａとの間において主側板部５１１ｂ，５１１ｂの屈曲する突出端縁部５１１ｄ，５１１ｄに当接することになり、主基板部５１１ａと補基板部５２１ａとが互いに離反する方向の移動が規制された状態にある。さらに、補強格子要素５２０に設けた第１補支持ヒレ部５２２，５２２の突出端面が主格子要素５１０に設けた第１主支持ヒレ部５１２，５１２の突出端面に当接するとともに、補強格子要素５２０の第２補支持ヒレ部５２３，５２３及び連結ヒレ部５２３ａが主格子要素５１０の第２主支持ヒレ部５１３，５１３に当接することになり、主基板部５１１ａと補基板部５２１ａとが互いに近接する方向の移動も規制された状態にある。すなわち、格子部材５０を構成する主格子要素５１０及び補強格子要素５２０は、互いに長手方向に沿った移動のみが許容された状態で互いに連結されたものとなる。
【００４７】
上記のように構成した障子２０では、格子部材５０の主格子要素５１０が両端面を介して上下框部材２１，２２の主当接面１２３ａに当接するとともに、補強格子要素５２０が両端面を介して補強当接面１２０ｂに当接するため、戸先側の縦框部材２３を介して左右にスライドさせた場合にも、これら主格子要素５１０及び補強格子要素５２０が障子２０の歪みに抗するように機能する。より具体的に説明すれば、図１１中の中心線よりも左側に示すように、主格子要素５１０の端面において上下框部材２１，２２の主当接面１２３ａに当接する部分（クロスハッチング部分）と、補強格子要素５２０の端面において上下框部材２１，２２の補強当接面１２０ｂに当接する部分（クロスハッチング部分）とが、上框部材２１及び下框部材２２の長手方向に沿った相対移動に抗するように機能する。また、図１１中の中心線よりも右側に示すように、主格子要素５１０の端面において上下框部材２１，２２の見込み方向に沿い、かつ主当接面１２３ａに当接する部分（クロスハッチング部分）と、補強格子要素５２０の端面において上下框部材２１，２２の見込み方向に沿い、かつ補強当接面１２０ｂに当接する部分（クロスハッチング部分）、さらには補強格子要素５２０の端面において連結ヒレ部５２３ａ及び補基板部５２１ａにおいて連結ヒレ部５２３ａと平行となる部分（クロスハッチング部分）が、上框部材２１及び下框部材２２の短手方向に沿った相対移動に抗するように機能することになる。
【００４８】
特に、実施の形態２においては、主格子要素５１０の第１主支持ヒレ部５１２，５１２及び第２主支持ヒレ部５１３，５１３に対して補強格子要素５２０の第１補支持ヒレ部５２２，５２２及び第２補支持ヒレ部５２３，５２３を互いに当接する位置に設け、第１主支持ヒレ部５１２，５１２と第１補支持ヒレ部５２２，５２２、並びに第２主支持ヒレ部５１３，５１３と第２補支持ヒレ部５２３，５２３とが上下框部材２１，２２に対して見込み方向に連続するように配置されることになり、上框部材２１及び下框部材２２が短手方向に沿ってずれようとした場合にこれをより確実に防止することができるようになる。従って、障子２０の框が矩形状を維持することになり、召し合わせの位置に配置される縦框部材２４の錠装置２７が施錠できない等の問題を防止することができる。
【００４９】
しかも、上下框部材２１，２２に設けた主当接面１２３ａ及び補強当接面１２０ｂは、格子部材５０の長手方向に対して互いに位置が異なる別個のものであり、格子部材５０の端面が当接することによって生じる応力がこれらに分散されることになる。従って、主当接面１２３ａ及び補強当接面１２０ｂについては、特別に板厚を増大したり、閉断面構造として構成せずとも撓む恐れがなくなり、上下框部材２１，２２の重量増大や製造コストの増大を招来することもない。
【００５０】
尚、上述した実施の形態１及び実施の形態２では、いずれも建具として玄関用の引き戸を例示しているが、その他の箇所に用いられる引き戸であっても良いし、引き戸以外の建具であっても構わない。この場合、障子が必ずしも面材を備えている必要はなく、框部材と格子部材とを備えていれば良い。さらに、格子部材を設ける方向は必ずしも上下である必要はなく、左右方向に格子部材を設けるものであっても構わない。
【００５１】
また、上述した実施の形態１及び実施の形態２では、別個に構成した主格子要素４１０，５１０と補強格子要素４２０，５２０とを組み付けることによって格子部材４０，５０を構成するようにしているが、必ずしもこれに限定されず、主格子要素に相当する部分と補強格子要素に相当する部分とを一体に成形して格子部材を構成しても良い。さらに、外郭材４１１，４２１，５１１，５２１に第１リブや第２リブとして機能するヒレ部４１２，４１３，４２２，５１２，５１３，５２２，５２３を設けることによって格子部材４０，５０を構成しているため、軽量化や製造する場合の材料費削減に寄与することができるが、中実となるように格子部材を成形するようにしても良い。
【００５２】
さらに、上述した実施の形態１及び実施の形態２では、框部材２１，２２，２３，２４に設けた当接ヒレ部１２３の主当接面１２３ａとは別の当接支持ヒレ部１２０に補強当接面１２０ｂを設けるようにしているが、例えば、補強当接面１２０ｂを設けることなく当接ヒレ部１２３の主当接面１２３ａを階段状に分割して複数の当接面を構成するようにしても構わない。主当接面１２３ａを分割するように構成した場合には、当接ヒレ部１２３に単一の当接面を設けた場合と比較して格子部材の端面との当接面積が増えることはない。しかしながら、単一の当接面を設けた場合に比べて、当接面に生じる応力が分割した個々の当接面で分散されることになる。従って、特別に板厚を増大したり、閉断面構造として構成せずとも撓む恐れがなくなり、框部材の重量増大や製造コストの増大を招来することもない。尚、格子部材の端面と当接面との間は、必ずしも当接させた状態で組み立てる必要はなく、少なくとも障子が歪むような外力が加えられた場合に直ちに当接すれば隙間があっても構わない。
【符号の説明】
【００５３】
２０      障子
２１，２２，２３，２４      框部材
４０，５０      格子部材
１２０      当接支持ヒレ部
１２０ａ      当接部
１２０ｂ      補強当接面
１２３      当接ヒレ部
１２３ａ      主当接面
４１０，５１０      主格子要素
４１１，５１１      主外郭材
４１２      第１支持ヒレ部
４１２ａ      突出端縁部
４１３      第２支持ヒレ部
４１３ａ      突出端縁部
４２０，５２０      補強格子要素
４２１，５２１      補外郭材
４２１ｃ      突出端縁部
４２２      補支持ヒレ部
４２２ｂ      係合片部
５１１ｄ      突出端縁部
５１２      第１主支持ヒレ部
５１３      第２主支持ヒレ部
５２１ｃ      突出端縁部
５２２      第１補支持ヒレ部
５２３      第２補支持ヒレ部
５２３ａ      連結ヒレ部
【図１】
2014145240.tif 000003
【図２】
2014145240.tif 000004
【図３】
2014145240.tif 000005
【図４】
2014145240.tif 000006
【図５】
2014145240.tif 000007
【図６】
2014145240.tif 000008
【図７】
2014145240.tif 000009
【図８】
2014145240.tif 000010
【図９】
2014145240.tif 000011
【図１０】
2014145240.tif 000012
【図１１】
2014145240.tif 000013